(57)【要約】【課題】利益状態の発生に関する予告の期待度を高く維持しつつ、その期待度の高い予告が出現しない期間を含めて全体として十分な演出効果を得ることが可能な遊技機を提供する。【解決手段】内部抽選結果に基づく利益状態の発生に関する第１予告演出を行う第１予告演出手段３６と、第１予告演出の演出内容に関する第２予告演出を行う第２予告演出手段３４とを備え、第１予告演出手段３６は、利益状態の発生に関する期待度が異なる複数種類の第１演出態様の何れかで第１予告演出を実行し、第２予告演出手段３４は、複数種類の第１演出態様の何れが用いられるかに関する期待度が異なる複数種類の第２演出態様の何れかで第２予告演出を実行するように構成する。【選択図】図１２
2014217512.tif 000002
【特許請求の範囲】
【請求項１】
内部抽選結果に基づいて利益状態を発生させる利益状態発生手段と、
前記利益状態の発生に関する第１予告演出を行う第１予告演出手段と
を備えた遊技機において、
前記第１予告演出の演出内容に関する第２予告演出を行う第２予告演出手段を備え、
前記第１予告演出手段は、前記利益状態の発生に関する期待度が異なる複数種類の第１演出態様の何れかで前記第１予告演出を実行し、
前記第２予告演出手段は、複数種類の前記第１演出態様の何れが用いられるかに関する期待度が異なる複数種類の第２演出態様の何れかで前記第２予告演出を実行するように構成した
ことを特徴とする遊技機。
【請求項２】
前記複数種類の第１演出態様は、前記利益状態が発生する場合にのみ選択される特別第１演出態様を含む
ことを特徴とする請求項１に記載の遊技機。
【請求項３】
前記複数種類の第２演出態様は、所定条件下で前記複数種類の第１演出態様のうちの特定第１演出態様が選択される場合にのみ選択される特定第２演出態様を含む
ことを特徴とする請求項１又は２に記載の遊技機。
【請求項４】
前記特定第１演出態様は、前記利益状態が発生する場合にのみ選択される
ことを特徴とする請求項３に記載の遊技機。
【請求項５】
前記第１演出態様は、報知態様の変化状態が規定された演出パターンで構成されており、
前記複数種類の第１演出態様には、前記報知態様が変化しない不変演出パターンとそれ以外の可変演出パターンとがあり、
最終の前記報知態様が同じ複数の前記演出パターンにあっては、前記利益状態が発生する場合には前記不変演出パターンよりも前記可変演出パターンの方が選択率が高く、前記利益状態が発生しない場合には前記可変演出パターンよりも前記不変演出パターンの方が選択率が高い
ことを特徴とする請求項１〜４の何れかに記載の遊技機。
【請求項６】
前記第１演出態様は、報知態様の変化状態が規定された演出パターンで構成されており、
複数種類の前記報知態様について予め順位付けがされており、
最終の前記報知態様が同じ複数の前記演出パターンのうち、前記報知態様が変化する可変演出パターンにあっては、前記利益状態が発生する場合には前記報知態様の変化による順位上昇幅が大きい演出パターンほど選択率が高く、前記利益状態が発生しない場合には前記報知態様の変化による順位上昇幅が小さい演出パターンほど選択率が高い
ことを特徴とする請求項１〜５の何れかに記載の遊技機。
【請求項７】
前記第１演出態様は、報知態様の変化状態が規定された演出パターンで構成されており、
複数種類の前記報知態様について予め順位付けがされており、
前記報知態様が変化する可変演出パターンのうち、前記報知態様の変化による順位上昇幅及び最終の前記報知態様が同じ複数の前記演出パターンにあっては、前記利益状態が発生する場合には前記報知態様の変化タイミングが遅い演出パターンほど選択率が高く、前記利益状態が発生しない場合には前記報知態様の変化タイミングが早い演出パターンほど選択率が高い
ことを特徴とする請求項１〜６の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機は、内部抽選結果に基づいて遊技者に有利な利益状態を発生させるように構成されており、遊技者に対して、その利益状態の発生に関する予告演出を行うことで、遊技者の期待感を煽って興趣の向上を図っている（例えば特許文献１）。
【先行技術文献】
【特許文献】
【０００３】
【特許文献１】特開２００３−２６５７６２号公報
【発明の概要】
【発明が解決しようとする課題】
【０００４】
予告演出機能を搭載した従来の遊技機では、予告が出現した場合の期待度を高く設定すれば、その予告が出現した場合には遊技者の期待感を最大限喚起できるが、そのような予告は当然に出現率が低いため、予告が出現しない大部分の期間について遊技者の期待感を十分に喚起することができず、全体として十分な演出効果を得られないという問題があった。これに対し、予告の出現率を高めれば、予告が出現しない期間を短くすることができる一方、予告が出現した場合の期待度は低くなり、全体としての演出効果の改善は期待できない。
【０００５】
なお、予告演出を複数種類設けた遊技機も存在するが、それら複数種類の予告演出はそれぞれ独立的に特定の利益状態を予告するものであるため、期待度の高い予告を頻繁に出現させることができないことに変わりはない。
【０００６】
本発明は上記事情に鑑みてなされたものであり、利益状態の発生に関する予告の期待度を高く維持しつつ、その期待度の高い予告が出現しない期間を含めて全体として十分な演出効果を得ることが可能な遊技機を提供することを目的とする。
【課題を解決するための手段】
【０００７】
本発明は、内部抽選結果に基づいて利益状態を発生させる利益状態発生手段６６と、前記利益状態の発生に関する第１予告演出を行う第１予告演出手段３６とを備えた遊技機において、前記第１予告演出の演出内容に関する第２予告演出を行う第２予告演出手段３４を備え、前記第１予告演出手段３６は、前記利益状態の発生に関する期待度が異なる複数種類の第１演出態様の何れかで前記第１予告演出を実行し、前記第２予告演出手段３４は、複数種類の前記第１演出態様の何れが用いられるかに関する期待度が異なる複数種類の第２演出態様の何れかで前記第２予告演出を実行するように構成したものである。
【０００８】
前記複数種類の第１演出態様は、前記利益状態が発生する場合にのみ選択される特別第１演出態様を含むように構成してもよい。また前記複数種類の第２演出態様は、所定条件下で前記複数種類の第１演出態様のうちの特定第１演出態様が選択される場合にのみ選択される特定第２演出態様を含むように構成してもよい。この場合、前記特定第１演出態様は、前記利益状態が発生する場合にのみ選択されるように構成してもよい。
【０００９】
前記第１演出態様は、報知態様の変化状態が規定された演出パターンで構成されており、前記複数種類の第１演出態様には、前記報知態様が変化しない不変演出パターンとそれ以外の可変演出パターンとがあり、最終の前記報知態様が同じ複数の前記演出パターンにあっては、前記利益状態が発生する場合には前記不変演出パターンよりも前記可変演出パターンの方が選択率が高く、前記利益状態が発生しない場合には前記可変演出パターンよりも前記不変演出パターンの方が選択率が高くなるように構成してもよい。
【００１０】
また、前記第１演出態様は、報知態様の変化状態が規定された演出パターンで構成されており、複数種類の前記報知態様について予め順位付けがされており、最終の前記報知態様が同じ複数の前記演出パターンのうち、前記報知態様が変化する可変演出パターンにあっては、前記利益状態が発生する場合には前記報知態様の変化による順位上昇幅が大きい演出パターンほど選択率が高く、前記利益状態が発生しない場合には前記報知態様の変化による順位上昇幅が小さい演出パターンほど選択率が高くなるように構成してもよい。
【００１１】
また、前記第１演出態様は、報知態様の変化状態が規定された演出パターンで構成されており、複数種類の前記報知態様について予め順位付けがされており、前記報知態様が変化する可変演出パターンのうち、前記報知態様の変化による順位上昇幅及び最終の前記報知態様が同じ複数の前記演出パターンにあっては、前記利益状態が発生する場合には前記報知態様の変化タイミングが遅い演出パターンほど選択率が高く、前記利益状態が発生しない場合には前記報知態様の変化タイミングが早い演出パターンほど選択率が高くなるように構成してもよい。
【発明の効果】
【００１２】
本発明によれば、利益状態の発生に関する第１予告演出による予告の期待度を高く維持しつつ、その期待度の高い予告が出現しない期間については第２予告演出により遊技者の期待感を喚起することにより、全体として十分な演出効果を得ることが可能となる。
【図面の簡単な説明】
【００１３】
【図１】本発明の第１の実施形態におけるパチンコ機の全体正面図である。
【図２】同パチンコ機の制御系のブロック図である。
【図３】同パチンコ機の遊技状態毎の普通図柄の当たり確率及び変動時間、下特別始動口の開閉パターンを示す図である。
【図４】同パチンコ機の大当たり判定、小当たり判定及び外れ判定の場合の大当たり判定乱数値、大当たり図柄乱数値、演出図柄の停止図柄態様、特別利益状態及び特別遊技状態の対応関係を示す図である。
【図５】同パチンコ機の保留減少コマンド及び保留増加コマンドの一例を示す図である。
【図６】同パチンコ機の最終表示態様選択テーブルを示す図である。
【図７】同パチンコ機の最終表示態様が虹色である場合の保留表示パターン選択テーブルを示す図である。
【図８】同パチンコ機の最終表示態様が赤色である場合の保留表示パターン選択テーブルを示す図である。
【図９】同パチンコ機の最終表示態様が青色である場合の保留表示パターン選択テーブルを示す図である。
【図１０】同パチンコ機の最終表示態様が白色である場合の保留表示パターン選択テーブルを示す図である。
【図１１】同パチンコ機の発光態様選択テーブルを示す図である。
【図１２】同パチンコ機の演出図柄変動及び第１，第２予告演出の具体例を示す図である。
【図１３】本発明の第２の実施形態におけるパチンコ機の発光態様選択テーブルを示す図である。
【図１４】本発明の第３の実施形態におけるパチンコ機の最終表示態様が赤色である場合の保留表示パターン選択テーブルを示す図である。
【図１５】本発明の第４の実施形態におけるパチンコ機の新たな保留記憶が保留２である場合に用いられる保留表示パターン選択テーブルを示す図である。
【発明を実施するための形態】
【００１４】
以下、本発明の実施形態を図面に基づいて詳述する。図１〜図１２は本発明をパチンコ機に採用した第１の実施形態を例示している。図１において、遊技機本体１は、矩形状の外枠２と、この外枠２の前側に左右一側、例えば左側のヒンジ３により開閉自在に枢着された前枠４とを備えている。前枠４の前側には、ガラス扉５と前面板６とが上下に配置され、夫々ヒンジ３と同じ側のヒンジ７により前枠４に開閉自在に枢支されている。
【００１５】
前面板６の前側には、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々設けられている。更に、上皿８等を前側から覆う上皿カバー１１上には、例えば左右方向の略中央に演出ボタン１２が設けられている。
【００１６】
前枠４には、ガラス扉５の後側に対応して遊技盤２１が着脱自在に装着されている。遊技盤２１の前面側には、発射手段から発射された遊技球を案内するガイドレール２２が環状に装着されると共に、そのガイドレール２２の内側の遊技領域２３に、センターケース２４、普通図柄始動手段２５、特別図柄始動手段２６、大入賞手段２７、普通入賞手段２８等の各種遊技部品が配置されている。
【００１７】
センターケース２４には、液晶式等の画像表示手段２９の他、普通図柄表示手段３１、特別図柄表示手段３２、普通保留個数表示手段３３、第２予告演出表示手段３４等が設けられている。また、画像表示手段２９は、演出図柄表示手段３５、第１予告演出表示手段３６等を構成している。
【００１８】
普通図柄表示手段３１は、普通図柄を変動表示するためのもので、例えば「○」「×」の２種類の普通図柄に対応する２個の発光体（例えばＬＥＤ）により構成されており、通過ゲート等よりなる普通図柄始動手段２５が遊技球を検出することを条件にそれら２つの発光体が所定時間交互に点滅して、普通図柄始動手段２５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１９】
また、普通図柄表示手段３１の変動表示中、又は後述する普通利益状態中に普通図柄始動手段２５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段３３がその発光個数により当たり判定乱数値の記憶個数（以下、普通保留個数という）を表示して、その時点での普通保留個数を遊技者に報知するようになっている。
【００２０】
特別図柄始動手段２６は、特別図柄表示手段３２による図柄変動を開始させるためのもので、上下２つの特別始動口２６ａ，２６ｂと、下特別始動口２６ｂを開閉する開閉手段３７とを備え、例えばセンターケース２４の下側に配置されている。上特別始動口２６ａは、開閉手段等を有しない非作動式入賞口である。下特別始動口２６ｂは、開閉手段３７により遊技球が入賞可能な開状態と入賞不可能な閉状態とに切り換え可能な作動式入賞口で、普通図柄表示手段３１の変動後の停止図柄が当たり態様となって普通利益状態が発生したときに、所定の開閉パターンに従って所定時間×所定回数開状態に切り替えられるようになっている。
【００２１】
特別図柄表示手段３２は、１個又は複数個、例えば１個の特別図柄を変動表示可能な７セグメント式等の表示手段により構成されており、特別図柄始動手段２６が遊技球を検出すること、即ち上下２つの特別始動口２６ａ，２６ｂの何れかに遊技球が入賞することを条件に特別図柄を所定時間変動表示して、特別始動口２６ａ，２６ｂへの入賞時に取得された大当たり判定乱数値が予め定められた大当たり判定値と一致する場合には所定の大当たり態様で、小当たり判定値と一致する場合には所定の小当たり態様で、それ以外の場合には外れ態様で停止するようになっている。
【００２２】
本実施形態では、大当たり態様が複数種類、例えば第１〜第４の４種類設けられているものとする。なお、大当たり態様、小当たり態様及び外れ態様の各態様には夫々数字図柄等を割り当ててもよいし、遊技者がその特別図柄の種類を容易に区別できないように、任意の線や点の組み合わせのような特別な意味を持たない図柄を割り当ててもよい。
【００２３】
また、特別図柄の変動表示中、又は後述する特別利益状態中に特別始動口２６ａ，２６ｂに遊技球が入賞した場合には、その入賞時に取得された大当たり判定乱数値等が夫々所定の上限保留個数、例えば各４個を限度として記憶されると共に、第１予告演出表示手段３６が、画像表示手段２９上に例えば大当たり判定乱数値の記憶個数（以下、特別保留個数という）分の保留表示画像Ｘを表示することにより、その時点での特別保留個数を遊技者に報知するようになっている。
【００２４】
なお、保留表示画像Ｘには、保留１〜４個目に対応する保留表示画像Ｘ１〜Ｘ４と、当該変動に対応する保留表示画像Ｘ０（図１２（ｂ）等）とが存在し、特別図柄の変動が新たに開始される際には、保留表示画像Ｘ１〜Ｘ４がそれぞれ前側に１個ずつシフトして保留表示画像Ｘ０〜Ｘ３に変化した後、当該変動に対応する保留表示画像Ｘ０については所定のタイミング（例えば１秒後）で消去されるようになっている。
【００２５】
また、第１予告演出表示手段（第１予告演出手段）３６は、特別保留個数の報知と共に、後述する特別利益状態の発生に関する予告演出（以下、第１予告演出という）を行うように構成されている。即ち、新たな保留記憶に対応する保留表示画像Ｘ１〜Ｘ４がＸ０まで順次シフトされる際の表示態様の変化パターンである保留表示パターン（第１演出態様、表示パターン）は複数種類設けられており、第１予告演出表示手段３６は、各保留記憶に対応する保留表示画像Ｘ０〜Ｘ４を、後述する先読み判定結果に基づいて選択された保留表示パターンに従って表示することにより、特別利益状態の発生に関する第１予告演出を行うようになっている。なお、本実施形態では、保留表示画像Ｘ０〜Ｘ４はそれぞれ白色、青色、赤色、虹色の４種類の表示態様（ここでは表示色）で表示可能であるとする（図６）。
【００２６】
演出図柄表示手段３５は、例えば特別図柄表示手段３２による特別図柄の変動表示と並行して演出図柄を変動表示するもので、１個又は複数個、例えば左右方向に３個の演出図柄を例えば各種の演出画像と共に画像表示手段２９上で変動表示可能に構成されており、特別図柄始動手段２６が遊技球を検出すること、即ち上下２つの特別始動口２６ａ，２６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００２７】
なお本実施形態では、特別図柄が第１〜第４大当たり態様、小当たり態様、外れ態様で停止する場合には、演出図柄もそれに対応して第１〜第４大当たり態様、小当たり態様、外れ態様（図４参照）で停止するものとする。ここで、演出図柄の停止図柄態様については、例えば第１大当たり態様及び小当たり態様は、複数（３つ）の図柄のうちの少なくとも１つが他と異なる「非ぞろ目」の停止図柄態様のうちで予め定められた１又は複数、第２〜第４大当たり態様は複数（３つ）の図柄が全て同じ図柄で揃った「ぞろ目」の停止図柄態様、外れ態様は「非ぞろ目」の停止図柄態様のうち、第１大当たり態様及び小当たり態様以外の停止図柄態様で構成されているものとする。
【００２８】
大入賞手段２７は、遊技球が入賞可能な開状態と入賞不可能な閉状態とに切り換え可能な開閉板３９を備えた作動式入賞手段で、特別図柄表示手段３２の変動後の特別図柄が特定態様、即ち第１〜第４大当たり態様又は小当たり態様となることに基づいて特別利益状態、即ち大当たり状態又は小当たり状態が発生したときに、開閉板３９が所定の開放パターンに従って前側に開放して、その上に落下した遊技球を内部へと入賞させるようになっている。
【００２９】
本実施形態では、図４に示すように、特別利益状態における大入賞手段２７の開放パターンとして、１５Ｒ開放パターン、２Ｒ開放パターン及び１Ｒ開放パターンの３種類が用意されており、特別図柄及び演出図柄の変動後の停止図柄が第２〜第４大当たり態様となった場合には１５Ｒ開放パターンが、第１大当たり態様となった場合には２Ｒ開放パターンが、小当たり態様となった場合には１Ｒ開放パターンがそれぞれ選択されるようになっている。
【００３０】
１５Ｒ開放パターンは、大入賞手段２７を、開放してから所定時間（例えば２８秒）経過するかそれまでに所定個数（例えば９個）の遊技球が入賞することを条件に閉鎖する動作を１５ラウンド行うように設定されている。２Ｒ開放パターンは、大入賞手段２７を０．２秒開放する動作を２ラウンド行うように設定されている。１Ｒ開放パターンは、大入賞手段２７を０．２秒×２回開放する動作を１ラウンド行うように設定されており、外見上は２Ｒ開放パターンと同じである。即ち、第１大当たり態様と小当たり態様の場合で大入賞手段２７の開放パターンに外見上の違いはない。
【００３１】
第２予告演出表示手段（第２予告演出手段）３４は、第１予告演出の演出内容に関する予告演出（以下、第２予告演出という）を行うもので、ＬＥＤ等よりなる複数（ここでは４つ）の発光部Ｙ１〜Ｙ４を備えており、例えば第１予告演出表示手段３６による保留表示画像Ｘ１〜Ｘ４に対応して発光部Ｙ１〜Ｙ４が複数種類の発光態様（第２演出態様）の何れかで発光することにより、保留表示画像Ｘ１〜Ｘ４が保留表示画像Ｘ０〜Ｘ３にシフトしたときの表示態様の変化パターン（第１予告演出の演出内容の一例）に関する第２予告演出を行うようになっている。本実施形態では、発光部Ｙ１〜Ｙ４はそれぞれ連続点灯、低速点滅、高速点滅の３種類の発光態様で発光可能であるとする（図１１）。
【００３２】
図２は本パチンコ機の制御系のブロック図である。図２において、４１は主制御基板、４２は演出制御基板で、これら各制御基板４１，４２は、遊技盤２１に装着されたセンターケース２４、その他の複数個の遊技部品を裏側から一括して覆う裏カバーの裏側等、前枠４及び遊技盤２１を含む遊技機本体１の裏側の適宜箇所に着脱自在に装着された基板ケースに夫々収納されている。
【００３３】
主制御基板４１は、遊技動作を統括的に制御するもので、ＣＰＵ，ＲＯＭ，ＲＡＭ等により構成される普通乱数作成処理手段５１、普通始動口チェック処理手段５２、普通乱数記憶手段５３、普通図柄処理手段５４、普通図柄表示制御手段５５、普通利益状態発生手段５６、特別乱数作成処理手段６１、特別始動口チェック処理手段６２、特別乱数記憶手段６３、特別図柄処理手段６４、特別図柄表示制御手段６５、特別利益状態発生手段６６、特別遊技状態発生手段６７、先読み判定手段６８、制御コマンド送信手段６９等を備えている。
【００３４】
普通乱数作成処理手段５１は、変動後の普通図柄を当たり態様とするか否かの判定に用いる当たり判定乱数等を所定時間毎に繰り返し発生するように構成されている。普通始動口チェック処理手段５２は、普通図柄始動手段２５による遊技球の検出に基づく処理を行うもので、普通図柄始動手段２５が遊技球を検出することに基づいて、普通乱数作成処理手段５１で作成された当たり判定乱数値等を１個ずつ取得し、その当たり判定乱数値等を予め定められた上限保留個数（例えば各４個）を限度として先入れ先出し式の普通乱数記憶手段５３に記憶させるように構成されている。
【００３５】
普通図柄処理手段５４は、普通図柄の変動表示に関する処理を行うもので、普通図柄表示手段３１が変動表示可能な状態となり且つ普通乱数記憶手段５３に１個以上の当たり判定乱数値が記憶されていること（普通保留個数が１以上であること）を条件に、普通乱数記憶手段５３に記憶されている当たり判定乱数値の待ち行列からその先頭の当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００３６】
なお本実施形態では、当たり判定に用いる当たり判定値の数を、後述する開放延長状態中とそれ以外とで異ならせることにより、図３に示すように、開放延長状態中の当たり確率（例えば１／１．３）がそれ以外のときの当たり確率（例えば１／１０）よりも高く設定されている。
【００３７】
普通図柄表示制御手段５５は、普通図柄処理手段５４による普通図柄処理に基づいて普通図柄表示手段３１の表示制御を行うもので、普通図柄表示手段３１が変動表示可能な状態となり且つ普通乱数記憶手段５３に１個以上の当たり判定乱数値が記憶されていること（普通保留個数が１以上であること）を条件に普通図柄表示手段３１による普通図柄の変動を開始させ、普通図柄処理手段５４で選択された変動時間が経過することに基づいて、同じく普通図柄処理手段５４で選択された停止図柄で普通図柄の変動を停止させるようになっている。
【００３８】
普通利益状態発生手段５６は、普通図柄処理手段５４による判定結果が当たり判定となり、普通図柄表示手段３１の変動後の停止図柄が当たり態様となった場合に、下特別始動口２６ｂの開閉手段３７を例えば複数種類の開閉パターンの何れかに従って開状態に変化させるようになっている。本実施形態では、図３に示すように、通常開閉パターン（例えば０．２秒×１回開放）と、この通常開閉パターンよりも開放時間及び／又は開放回数が大となるように設定された特別開閉パターン（例えば２秒×３回開放）の２種類の開閉パターンが設定されており、開放延長状態中以外は通常開閉パターンが、開放延長状態中は特別開閉パターンが選択されるようになっている。
【００３９】
特別乱数作成処理手段６１は、大当たり／小当たり／外れの判定に用いる大当たり判定乱数の他、大当たり判定の場合の停止図柄態様の選択に用いる大当たり図柄乱数、外れ判定の場合の停止図柄の選択に用いる外れ図柄乱数、演出図柄の変動パターンの選択に用いる変動パターン乱数、その他の所定の乱数を繰り返し発生する特別乱数作成処理を行うように構成されている。
【００４０】
特別始動口チェック処理手段６２は、特別図柄始動手段２６への遊技球の入賞に基づく処理を行うもので、特別図柄始動手段２６が遊技球を検出すること、即ち特別始動口２６ａ，２６ｂに遊技球が入賞することに基づいて、特別乱数作成処理手段６１で作成された大当たり判定乱数値、大当たり図柄乱数値等を１個ずつ取得し、それら当たり判定乱数値、当たり図柄乱数値等を予め定められた上限保留個数（例えば各４個）を限度として先入れ先出し式の特別乱数記憶手段６３に記憶させるように構成されている。
【００４１】
特別図柄処理手段６４は、特別図柄の変動表示に関する処理を行うもので、特別図柄表示手段３２が変動表示可能な状態となり且つ特別乱数記憶手段６３に１個以上の大当たり判定乱数値が記憶されていること（特別保留個数が１以上であること）を条件に、特別乱数記憶手段６３に記憶されている大当たり判定乱数値の待ち行列からその先頭の大当たり判定乱数値を取り出し、その大当たり判定乱数値が予め定められた大当たり判定値又は小当たり判定値と一致するか否かに応じて大当たり／小当たり／外れの判定を行う大当たり判定機能、大当たり判定の場合に、特別乱数記憶手段６３に大当たり判定乱数値と共に記憶されている大当たり図柄乱数値に基づいて第１〜第４大当たり態様の何れかを選択し、小当たり判定の場合に、例えば１又は複数種類の小当たり態様の何れかを抽選等により選択し、外れ判定の場合に、例えば１又は複数種類の外れ態様の何れかを抽選等により選択する特別停止図柄選択機能、大当たり／小当たり／外れの判定結果と、新たに取得された変動パターン乱数値とに基づいて演出図柄の変動パターンを選択する変動パターン選択機能等を備えている。なお以下の説明では、第１〜第４大当たり態様が選択された場合の大当たりの種類を夫々第１〜第４大当たりとして区別するものとする。
【００４２】
特別図柄表示制御手段６５は、特別図柄表示手段３２の表示制御を行うもので、特別図柄処理手段６４による特別図柄処理に基づいて特別図柄表示手段３２による特別図柄の変動を開始させると共に、選択された演出図柄の変動パターンに対応する変動時間が経過することに基づいて所定の停止図柄で特別図柄の変動を停止させるようになっている。
【００４３】
特別利益状態発生手段６６は、特別図柄処理手段６４による大当たり判定結果（内部抽選結果）に基づいて特別利益状態(利益状態)を発生させるためのもので、大当たり状態発生手段６６ａと小当たり状態発生手段６６ｂとを備えている。大当たり状態発生手段６６ａは、特別図柄処理手段６４による大当たり／小当たり／外れの判定結果が大当たりとなり、特別図柄表示手段３２による特別図柄の変動後の停止図柄が第１〜第４大当たり態様の何れかになった場合に、大入賞手段２７が所定の開放パターンに従って開放する大当たり状態を発生させるように構成されている。本実施形態では、図４に示すように、大当たり状態における大入賞手段２７の開放パターンとして２Ｒ，１５Ｒの２種類が設けられており、第１大当たりの場合には２Ｒ開放パターンが、第２〜第４大当たりの場合には１５Ｒ開放パターンが夫々選択されるようになっている。
【００４４】
小当たり状態発生手段６６ｂは、特別図柄処理手段６４による大当たり／小当たり／外れの判定結果が小当たりとなり、特別図柄表示手段３２による特別図柄の変動後の停止図柄が小当たり態様となった場合に、大入賞手段２７が所定の開放パターンに従って開放する小当たり状態を発生させるように構成されている。小当たり状態における大入賞手段２７の開放パターンは例えば１種類で、図４に示すように、第１大当たり態様の場合の２Ｒ開放パターンと外見上同じ動作が行われる１Ｒ開放パターンが設定されている。
【００４５】
特別遊技状態発生手段６７は、特別利益状態発生後に遊技者に有利な特別遊技状態を発生させるためのもので、例えば大当たりの種類に応じて、確変状態、開放延長状態を個別に発生させるようになっている。
【００４６】
確変状態中は、大当たり判定値の数が例えば１個から１０個へ増加されることにより、大当たりとなる確率が低確率（例えば１／３５０）から高確率（例えば１／３５）に切り換えられるようになっている。この確変状態は、大当たり状態の終了後に開始され、例えば次の大当たり状態が発生するまで継続される。
【００４７】
また、開放延長状態中は、下特別始動口２６ｂの開閉手段３７の開閉パターンが通常開閉パターン（例えば０．２秒×１回開放）からそれよりも開放時間及び／又は開放回数が大となる特別開閉パターン（例えば２秒×３回開放）へ切り換えられる他、例えば特別図柄に関して特別図柄表示手段３２の変動時間が通常変動時間よりも短い短縮変動時間に切り換えられ、普通図柄に関して当たり確率が通常確率（例えば１／１０）から高確率（例えば１／１．３）へ、変動時間が通常変動時間（例えば２７秒）から短縮変動時間（例えば２．７秒）へ、夫々切り換えられるようになっている。この開放延長状態は、大当たり状態の終了後に開始され、例えばその開始後に特別図柄が所定回数（例えば５０回）変動するか、それまでに次の大当たり状態が発生した時点で終了する。
【００４８】
本実施形態では、図４に示すように、第３，第４大当たりの場合には、確変状態と開放延長状態との両方が発生し、第２大当たりの場合には、開放延長状態のみが発生する。また、第１大当たりの場合には、確変状態は常に発生するが、開放延長状態については、例えば大当たり発生時点の開放延長状態発生の有無に応じて、開放延長状態中であった場合には引き続き開放延長状態が発生し、開放延長状態中でなかった場合には開放延長状態は発生しない（いわゆる潜伏確変）ようになっている。
【００４９】
先読み判定手段６８は、特別図柄始動手段２６が遊技球を検出したときに取得される大当たり判定乱数値等の内容を、特別図柄処理手段６４による大当たり判定よりも前の所定時点、例えばそれらの乱数値を取得した時点で事前に判定するもので、例えばその大当たり判定乱数値が大当たり判定値と一致するか否かに応じて、例えば大当たり判定乱数値が大当たり判定値、小当たり判定値の何れとも一致しない「外れ保留記憶」、大当たり判定乱数値が小当たり判定値と一致する「小当たり保留記憶」、大当たり判定乱数値が大当たり判定値と一致する「大当たり保留記憶」の何れであるかを判定するようになっている。
【００５０】
なお、この先読み判定結果を用いて行う予告演出等の内容に応じて、例えば大当たり図柄乱数値の先読み判定、変動パターン乱数値の先読み判定等を行ってもよい。もちろん、変動パターン乱数値の先読み判定を行う場合には、変動パターン乱数値は、大当たり判定値等と同様、特別図柄始動手段２６が遊技球を検出したときに取得する必要がある。
【００５１】
制御コマンド送信手段６９は、所定の制御コマンドを一方向通信により演出制御基板４２等のサブ制御基板側に送信して制御指令を与えるためのもので、特別図柄処理手段６４による特別図柄処理に基づいて、特別図柄の変動開始時に、特別保留個数の減少を示す保留減少コマンド、演出図柄の変動パターンを指定する変動パターンコマンド、演出図柄の変動後の停止図柄の抽選を指示する停止図柄コマンドをこの順序で演出制御基板４２側に送信し、特別図柄の変動終了時に演出図柄の変動停止を指示する変動停止コマンドを演出制御基板４２側に送信する機能、特別図柄始動手段２６による遊技球検出時に増加後の特別保留個数等を示す保留増加コマンドを演出制御基板４２側に送信する機能、遊技状態が変化する際に遊技状態コマンドを演出制御基板４２側に送信する機能等を備えている。
【００５２】
保留減少コマンドは、図５に示すように、例えば減少後の特別保留個数（ここでは０〜３個）に応じて複数種類（ここでは４種類）設けられている。また、保留増加コマンドは、図５に示すように、例えば増加後の特別保留個数（ここでは１〜４個）に応じた複数種類（ここでは４種類）のコマンドが、先読み判定手段６８による外れ保留記憶、小当たり保留記憶、大当たり保留記憶の３種類の判定結果に応じて３組設けられている。
【００５３】
演出制御基板４２は、画像表示手段２９、第２予告演出表示手段３４、音声出力手段７１、電飾手段７２等の各種演出手段を制御するためのもので、図柄変動演出制御手段７３、特別保留個数表示制御手段７４、第１予告演出制御手段７５、第２予告演出制御手段７６等を備えている。
【００５４】
図柄変動演出制御手段７３は、演出図柄の変動表示制御及びそれに伴う音声出力手段７１、電飾手段７２等の制御を行うもので、主制御基板４１から変動パターンコマンドを受信し、その後所定時間内に停止図柄コマンドを受信することを条件に、演出図柄の変動後の停止図柄を抽選により決定すると共に変動パターンコマンドで指定された変動パターンに基づいて画像表示手段２９上で所定の演出画像と共に演出図柄の変動を開始させ、変動停止コマンドを受信したときに、抽選により決定された停止図柄で演出図柄の変動を停止させ、またその演出図柄の変動表示に合わせて音声出力手段７１から所定の効果音を出力し、電飾手段７２を所定のパターンで発光させるようになっている。
【００５５】
特別保留個数表示制御手段７４は、画像表示手段２９への特別保留個数の表示制御を行うもので、特別図柄始動手段２６により新たに遊技球が検出され、主制御基板４１から保留増加コマンドを受信したときに、その保留増加コマンドが第何番目の保留記憶に対応するものであるかに基づいて、画像表示手段２９上に保留表示画像Ｘ１〜Ｘ４を１個追加的に表示し、また特別図柄の変動開始時に主制御基板４１から保留減少コマンドを受信したときに、画像表示手段２９上に表示されている保留表示画像Ｘ１〜Ｘ４をそれぞれＸ０〜Ｘ３にシフトすると共に、その後の所定のタイミングで保留表示画像Ｘ０を消去するようになっている。
【００５６】
第１予告演出制御手段７５は、特別利益状態の発生に関する第１予告演出を制御するもので、最終表示態様選択手段７５ａ、保留表示パターン選択手段７５ｂ等を備えており、特別保留個数表示制御手段７４によって画像表示手段２９上に表示される保留表示画像Ｘ１〜Ｘ４が最終的に保留表示画像Ｘ０となるまでの表示態様の変化を規定する保留表示パターンを、例えば保留増加コマンドを受信した時点で複数種類の中から選択するようになっている。
【００５７】
最終表示態様選択手段７５ａは、各保留記憶に対応する保留表示画像の最終表示態様を選択するもので、例えば主制御基板４１から保留増加コマンドを受信したときに、予め設けられた最終表示態様選択テーブルに基づいて、その新たな保留記憶の最終表示態様、例えばその保留記憶が図柄変動に供される際の保留表示画像Ｘ０の表示態様を選択するように構成されている。最終表示態様選択テーブルには、例えば図６に示すように、保留増加コマンドより得られる先読み判定結果（大当たり、小当たり、外れの何れか）毎に、複数種類（ここでは４種類）の最終表示態様の選択率が設定されている。
【００５８】
図６に示す最終表示態様選択テーブルの場合、例えば主制御基板４１から保留増加コマンド“Ｂ５２４Ｈ”（図５参照）を受信した場合には、白、青、赤、虹の４種類の表示態様の何れかがそれぞれ２０，３０，４０，１０％の確率で選択される。
【００５９】
なお、図６に示す最終表示態様選択テーブルでは、４種類の最終表示態様のうち、虹色については先読み判定結果が大当たりの場合にのみ選択され、先読み判定結果が小当たり及び外れの場合には選択されない設定となっている。従って、４種類の最終表示態様のうち、虹色が最も大当たり期待度が高く、保留表示画像Ｘ０が虹色で表示された場合にはその図柄変動で必ず大当たり態様となる。また、図６に示す最終表示態様選択テーブルでは、白、青、赤の各表示態様に関しては、先読み判定結果が大当たりの場合には赤色が、小当たりの場合には青色が、外れの場合には白色がそれぞれ最も高い選択率に設定されている。従って、虹色を除く３種類の表示態様では、赤色が最終表示態様となる場合が最も大当たり期待度が高く、白色が最終表示態様となる場合が最も大当たり期待度が低い。
【００６０】
保留表示パターン選択手段７５ｂは、各保留記憶に対応する保留表示画像の変化状態を規定する保留表示パターンを選択するもので、例えば最終表示態様選択手段７５ａによって最終表示態様が選択された場合に、予め設けられた保留表示パターン選択テーブルに基づいて、新たな保留記憶に対応する保留表示パターンを選択するように構成されている。保留表示パターン選択テーブルでは、１又は複数の保留表示パターンについてそれらの選択率が設定されており、選択対象とする保留表示パターンの種類毎、即ち例えば新たな保留記憶が何番目の保留記憶であるか、また最終表示態様選択手段７５ａで選択された最終表示態様が何れであるかに応じて複数種類の保留表示パターン選択テーブルが設けられている。なお、以下の説明では第０番目（当該変動に対応）から第４番目の保留記憶をそれぞれ保留０〜保留４というものとする。
【００６１】
例えば図７は最終表示態様が虹色の保留表示パターンを選択対象とする保留表示パターン選択テーブルを示しており、図７（ａ）〜（ｄ）が、それぞれ新たな保留記憶が保留４〜保留１である場合の保留表示パターンＡ４１〜Ａ４６，Ａ３１〜Ａ３６，Ａ２１〜Ａ２６，Ａ１１〜Ａ１３を選択対象とする保留表示パターン選択テーブルＡ４〜Ａ１である。同様に、図８は最終表示態様が赤色の保留表示パターンＢ４１〜Ｂ４８，Ｂ３１〜Ｂ３５，Ｂ２１〜Ｂ２５，Ｂ１１〜Ｂ１３を選択対象とする保留表示パターン選択テーブルＢ４〜Ｂ１を、図９は最終表示態様が青色の保留表示パターンＣ４１〜Ｃ４４，Ｃ３１〜Ｃ３３，Ｃ２１〜Ｃ２３，Ｃ１１〜Ｃ１２を選択対象とする保留表示パターン選択テーブルＣ４〜Ｃ１を、図１０は最終表示態様が白色の保留表示パターンＤ４１，Ｄ３１，Ｄ２１，Ｄ１１を選択対象とする保留表示パターン選択テーブルＤ４〜Ｄ１をそれぞれ示している。
【００６２】
ここで、保留表示画像Ｘ０の表示態様（最終表示態様）が虹色であればその図柄変動で必ず大当たり態様となるため（図６）、最終表示態様が虹色に設定されている保留表示パターンＡ４１〜Ａ４６，Ａ３１〜Ａ３６，Ａ２１〜Ａ２６，Ａ１１〜Ａ１３が、利益状態が発生する場合にのみ選択される特別第１演出態様の一例である。なお、図７〜図１０に示す保留表示パターン選択テーブルは全ての保留表示パターンを選択対象とするものとはなっていない。例えば、図７に示す保留表示パターン選択テーブルＡ４〜Ａ１では、保留１以前に虹色となる保留表示パターンは選択対象とはなっていない。
【００６３】
図７〜図１０に示す保留表示パターン選択テーブルを用いる場合、例えば主制御基板４１から保留増加コマンド“Ｂ５２４Ｈ”（図５参照）を受信し、最終表示態様選択手段７５ａによって最終表示態様として虹色が選択された場合には、保留表示パターン選択テーブルＡ４（図７（ａ））に基づいて保留表示パターンＡ４１〜Ａ４６の何れかがそれぞれ３０，２５，２０，１５，７，３％の確率で選択される。
【００６４】
なお、図７〜図１０に示す保留表示パターン選択テーブルの選択対象となっている保留表示パターンは、何れも保留記憶がシフトされるタイミングで表示態様が変化するように設定されており、その表示態様の変化は白→青→赤→虹の順序に従って０〜３段階の何れかとなっている。
【００６５】
また、例えば全ての保留表示パターンは複数のタイプに分類されており、本実施形態では、最初から最後まで表示態様が変化しない「タイプＴ０」、１回分の最大変化幅が１段階である「タイプＴ１」、１回分の最大変化幅が２段階である「タイプＴ２」、１回分の最大変化幅が３段階である「タイプＴ３」の４種類のタイプが設けられている。例えば、図８（ｃ）に示す「赤→赤→赤」の保留表示パターンＢ２１はタイプＴ０、同じく「青→赤→赤」の保留表示パターンＢ２２はタイプＴ１、同じく「白→白→赤」の保留表示パターンＢ２５はタイプＴ２、図７（ｂ）に示す「白→白→白→虹」の保留表示パターンＡ３６はタイプＴ３となっている。ここで、タイプＴ０の保留表示パターンが、表示態様が変化しない不変表示パターンであり、それ以外の全ての保留表示パターンが可変表示パターンである。
【００６６】
また、図７〜図１０に示す各保留表示パターン選択テーブルでは、例えば次のようなルールに従って各保留表示パターンの選択率が設定されている。即ち、まずタイプＴ０→Ｔ１→Ｔ２→Ｔ３の順に選択率が低くなっており、タイプが同じ複数の保留表示パターンに関しては、最初の表示態様の順位が低い表示パターンほど選択率が低く、更にタイプも最初の表示態様も同じ複数の保留表示パターンに関しては、表示態様の変化タイミングが遅い保留表示パターンほど選択率が低くなっている。
【００６７】
保留表示パターン選択手段７５ｂによって保留表示パターンが選択されると、その保留表示パターンに従って特別保留個数表示制御手段７４により画像表示手段２９上に保留表示画像が表示される。例えば主制御基板４１から保留増加コマンド“Ｂ５２４Ｈ”（図５参照）を受信し、最終表示態様選択手段７５ａによって最終表示態様として虹色が選択され、保留表示パターン選択手段７５ｂによって保留表示パターンＡ４１が選択された場合には、その時点で既に画像表示手段２９上に表示されている保留表示画像Ｘ１〜Ｘ３に加えて新たに白色の保留表示画像Ｘ４が表示される。そして、その保留表示画像Ｘ４は、主制御基板４１から保留減少コマンドを受信する毎にＸ４→Ｘ３→Ｘ２→Ｘ１→Ｘ０とシフトされるが、そのシフト時に表示態様（表示色）が白→青→赤→赤→虹へと順次変更される。
【００６８】
第２予告演出制御手段７６は、第１予告演出の演出内容に関する第２予告演出を制御するもので、演出態様選択手段７６ａ、演出制御手段７６ｂ等を備えている。演出態様選択手段７６ａは、第２予告演出表示手段３４における演出態様、即ち発光部Ｙ１〜Ｙ４の発光態様を選択するもので、例えば保留表示パターン選択手段７５ｂにより保留表示パターンが選択された場合に、その保留表示パターンに応じた発光部Ｙ１〜Ｙ４の発光態様を、例えば図１１に示すような発光態様選択テーブルに基づいて選択するように構成されている。
【００６９】
第２予告演出表示手段３４の発光部Ｙ１〜Ｙ４の発光態様は、それぞれ保留表示画像Ｘ１〜Ｘ４が保留表示画像Ｘ０〜Ｘ３にシフトするときの表示態様の変化を予告するもので、図１１に示す発光態様選択テーブルでは、シフト前後の表示態様（表示色）の変化パターン（以下、表示色変化パターンという）毎に、連続点灯、低速点滅、高速点滅の３種類の発光態様の選択率が設定されている。従って、保留表示パターン選択手段７５ｂによって保留表示パターンＡ３１（図７（ｂ））が選択された場合、保留表示画像Ｘ３〜Ｘ１に対応する発光部Ｙ３〜Ｙ１の発光態様がそれぞれ選択されるが、例えば保留表示画像Ｘ３については、その表示色は「白」でシフト後の保留表示画像Ｘ２の表示色は「青」であるため、発光部Ｙ３の発光態様は、連続点灯、低速点滅、高速点滅がそれぞれ２５，３５，４０％の確率で選択される。
【００７０】
なお、保留表示パターン選択手段７５ｂによって選択された保留表示パターンに対応する１又は複数の発光部の発光態様を、その保留表示パターンが選択された時点で全て選択してもよいし、保留表示パターンが選択された時点では新たに追加される保留表示画像に対応する発光部の発光態様のみを選択し、その後は保留表示画像がシフトされる毎にそのシフト後の保留表示画像に対応する発光部の発光態様を選択するようにしてもよい。
【００７１】
また、図１１に示す発光態様選択テーブルでは、連続点灯よりも低速点滅の方が、また低速点滅よりも高速点滅の方が、シフト後に保留表示画像の表示色が変化する期待度、及びその変化幅の大きさに対する期待度が高くなるように各発光態様の選択率が設定されている。
【００７２】
演出制御手段７６ｂは、第２予告演出表示手段３４による表示制御を行うもので、保留表示パターンに従って画像表示手段２９上に表示される保留表示画像の変化と同期するように、演出態様選択手段７６ａによって選択された演出態様に基づいて第２予告演出表示手段３４の発光部Ｙ１〜Ｙ４を発光させるようになっている。
【００７３】
図１２は、新たに記憶された３番目の保留記憶に対応して保留表示パターン選択手段７５ｂにより保留表示パターンＡ３１（図７（ｂ））が選択され、その保留表示パターンＡ３１に対し、演出態様選択手段７６ａにより、保留表示画像Ｘ３に対応する発光部Ｙ３の発光態様として連続点灯が、保留表示画像Ｘ２に対応する発光部Ｙ２の発光態様として低速点滅が、保留表示画像Ｘ１に対応する発光部Ｙ１の発光態様として高速点滅がそれぞれ選択された場合の、演出図柄表示手段３５、第１予告演出表示手段３６及び第２予告演出表示手段３４の変化状態の例を示したものである。なお、図１２（ａ）以降は特別図柄始動手段２６への新たな入賞はないものとする。
【００７４】
保留表示パターン選択手段７５ｂによって新たな保留３に対して保留表示パターンＡ３１（図７（ｂ））が選択されると、図１２（ａ）に示すように、画像表示手段２９上の第１予告演出表示手段３６に白色の保留表示画像Ｘ３が追加的に表示されると共に、この保留表示画像Ｘ３に対応する第２予告演出表示手段３４の発光部Ｙ３が、演出態様選択手段７６ａによって選択された連続点灯により発光する。
【００７５】
そして、変動中の演出図柄が外れ態様で停止すると、図１２（ｂ）に示すように保留表示画像Ｘ１〜Ｘ３がそれぞれＸ０〜Ｘ２にシフトされると共に新たな表示色に変化する。保留表示画像Ｘ３は、Ｘ２にシフトする際に白色から青色に変化する。なお、新たに開始される図柄変動に係る保留表示画像Ｘ０については、図１２（ｃ）に示すように例えば新たな図柄変動が開始された時点で画像表示手段２９上から消去される。
【００７６】
また、保留表示画像Ｘ１〜Ｘ３がそれぞれＸ０〜Ｘ２にシフトされると、新たな保留表示画像Ｘ１，Ｘ２に対応して発光部Ｙ１，Ｙ２が新たに発光を開始する。図１２（ｃ）に示すように、新たな保留表示画像Ｘ２に対応する発光部Ｙ２は、連続点灯よりも表示色の変化に対する期待度が高い低速点滅により発光するため、遊技者は次のシフト時に保留表示画像の表示色が大当たり期待度の高い赤色又は虹色に変化する可能性が高いものと期待感をもって図柄変動の行方を見守ることになる。
【００７７】
続いて変動中の演出図柄が外れ態様で停止すると、図１２（ｄ）に示すように保留表示画像Ｘ１，Ｘ２がそれぞれＸ０，Ｘ１にシフトされると共に新たな表示色に変化し、保留表示画像Ｘ０についてはその後に消去される。保留表示画像Ｘ２は、Ｘ１にシフトする際に青色から赤色に変化する。また、保留表示画像Ｘ１，Ｘ２がそれぞれＸ０，Ｘ１にシフトされると、新たな保留表示画像Ｘ１に対応して発光部Ｙ１が新たに発光を開始する。図１２（ｅ）に示すように、新たな保留表示画像Ｘ１に対応する発光部Ｙ１は、低速点滅よりも更に表示色の変化に対する期待度が高い高速点滅により発光するため、遊技者は次のシフト時に保留表示画像の表示色が大当たり期待度の高い虹色に変化する可能性が高いものと更に期待感を高めて図柄変動の行方を見守ることになる。
【００７８】
そして、図１２（ｆ）に示すように変動中の演出図柄が外れ態様で停止し、保留表示画像Ｘ１がＸ０にシフトされると共にその表示色が赤色から虹色に変化する。図６に示すように、本実施形態では最終表示態様が虹色となるのは先読み判定結果が大当たりの場合のみであるため、保留表示画像Ｘ０が虹色となった時点で次の図柄変動で大当たり態様となることが確定する。その後は図１２（ｇ）に示すように新たな図柄変動が開始されると共に保留表示画像Ｘ０が消去され、図１２（ｈ）に示すように演出図柄は最終的に「７．７．７」等の大当たり態様で停止する。
【００７９】
以上説明したように、本実施形態のパチンコ機では、第１予告演出の演出内容に関する第２予告演出を行う第２予告演出表示手段（第２予告演出手段）３４を備えているため、第１予告演出に関しては最終表示態様が虹色等となる保留表示パターンの大当たりに対する期待度を高く維持しつつ、そのような期待度の高い保留表示パターンが出現しない期間については第２予告演出により遊技者の期待感を喚起することができ、予告演出全体として十分な演出効果を得ることが可能となる。
【００８０】
図１３は本発明の第２の実施形態を例示し、第１の実施形態における発光態様選択テーブル（図１１）を一部変更したものである。
【００８１】
図１３に示す発光態様選択テーブルでは、全ての表示色変化パターンのうち、シフト前後の表示色が赤色のまま変化しない「赤→赤」の表示色変化パターンについてのみ、高速点滅の選択率が０％に設定されている。これにより、例えば保留表示画像Ｘ１の表示色が赤色の場合、その保留表示画像Ｘ１に対応する発光部Ｙ１が高速点滅で発光すれば、その時点でその保留表示画像はシフト後に虹色に変化することが確定する。また、保留表示画像が虹色に変化することが確定すると、その保留記憶に対応する図柄変動で大当たり態様となることが確定する（図６）。
【００８２】
本実施形態においては、最終以外の表示態様が赤色となることが所定条件の一例であり、
「赤→虹」の表示色変化パターンを含む保留表示パターンＡ４１〜Ａ４３等が特定第１演出態様の一例であり、３種類の発光態様（第２演出態様）のうちの高速点滅が、所定条件下で複数種類の第１演出態様のうちの特定第１演出態様が選択される場合にのみ選択される特定第２演出態様の一例である。
【００８３】
なお、特定の表示色変化パターン（例えばシフト後の表示色が虹色となっている「白→虹」、「青→虹」、「赤→虹」の各表示色変化パターン）についてのみ高速点滅（特定第２演出態様）の選択率を０％よりも大とし、その他の全ての表示色変化パターンについての高速点滅の選択率を全て０％としてもよい。即ち、複数種類（３種類）の第２演出態様（発光態様）に含まれる特定第２演出態様（高速点滅）が、複数種類の第１演出態様のうちの特定第１演出態様（ここでは虹色の表示態様を含む保留表示パターンＡ４１〜Ａ４３等）が選択される場合にのみ選択されるように構成してもよい。
【００８４】
図１４は本発明の第３の実施形態を例示し、第１，第２の実施形態を一部変更して、保留表示パターン選択手段７５ｂで用いる保留表示パターン選択テーブルにおいても、保留増加コマンドより得られる先読み判定結果（大当たり、小当たり、外れの何れか）毎に、各保留表示パターンの選択率を設定した例を示している。
【００８５】
図１４は、第１，第２の実施形態における図８に対応するもので、最終表示態様が赤色の保留表示パターンＢ４１〜Ｂ４８，Ｂ３１〜Ｂ３５，Ｂ２１〜Ｂ２５，Ｂ１１〜Ｂ１３を選択対象とする保留表示パターン選択テーブルＢ４〜Ｂ１を示している。図１４に示す各保留表示パターン選択テーブルＢ４〜Ｂ１では、先読み判定結果が大当たりの場合には、図８の場合と同様、タイプＴ０→Ｔ１→Ｔ２→Ｔ３の順に選択率が低くなり、タイプが同じ複数の保留表示パターンに関しては、最初の表示態様の順位が低い表示パターンほど選択率が低く、更にタイプも最初の表示態様も同じ複数の保留表示パターンに関しては、表示態様の変化タイミングが遅い保留表示パターンほど選択率が低くなっているのに対し、先読み判定結果が外れの場合にはその逆になっており、更に先読み判定結果が小当たりの場合には、例えば全ての保留表示パターンの選択率が同じになっている。
【００８６】
このように、本実施形態の場合、最終表示態様（最終報知態様）が同じ複数の保留表示パターン（演出パターン）にあっては、大当たり状態が発生する場合、又は大当たり状態と小当たり状態との何れかが発生する場合（利益状態が発生する場合）には不変表示パターン（不変演出パターン）よりも可変表示パターン（可変演出パターン）の方が選択率が高く、大当たり状態が発生しない場合、又は大当たり状態と小当たり状態との何れも発生しない場合（利益状態が発生しない場合）には可変表示パターンよりも不変表示パターンの方が選択率が高くなっている。
【００８７】
また、最終表示態様が同じ複数の可変表示パターンにあっては、大当たり状態が発生する場合、又は大当たり状態と小当たり状態との何れかが発生する場合（利益状態が発生する場合）には表示態様の変化による順位上昇幅が大きい保留表示パターンほど選択率が高く、大当たり状態が発生しない場合、又は大当たり状態と小当たり状態との何れも発生しない場合（利益状態が発生しない場合）には表示態様の変化による順位上昇幅が小さい表示パターンほど選択率が高くなっている。
【００８８】
更に、可変表示パターンのうち、表示態様の変化による順位上昇幅及び最終表示態様が同じ複数の保留表示パターンにあっては、大当たり状態が発生する場合、又は大当たり状態と小当たり状態との何れかが発生する場合（利益状態が発生する場合）には表示態様の変化タイミングが遅い表示パターンほど選択率が高く、大当たり状態が発生しない場合、又は大当たり状態と小当たり状態との何れも発生しない場合（利益状態が発生しない場合）には表示態様の変化タイミングが早い表示パターンほど選択率が高くなっている。
【００８９】
以上のように構成することで、最終の表示態様が同じであっても保留表示パターンによって大当たり等の期待度を異ならせることができる。
【００９０】
図１５は本発明の第４の実施形態を例示し、最終表示態様の選択抽選と保留表示パターンの選択抽選とを二段階で行うのではなく、一度の抽選で保留表示パターンを選択するように構成した例を示している。
【００９１】
本実施形態の保留表示パターン選択テーブルは、第１〜第３の実施形態の保留表示パターン選択テーブルとは異なり、最終表示態様の異なるものを含む保留表示パターンが選択対象となっている。図１５は、本実施形態に係る複数種類の保留表示パターン選択テーブルのうち、新たな保留記憶が保留２である場合に用いられる保留表示パターン選択テーブルＥ２の例を示している。
【００９２】
この保留表示パターン選択テーブルＥ２では、例えば先読み判定結果が大当たりの場合には、最終表示態様が白→青→赤→虹の順に選択率が高くなり、また最終表示態様が同じ複数の保留表示パターンに関しては、タイプＴ０→Ｔ１→Ｔ２→Ｔ３の順に選択率が高くなり、タイプが同じ複数の保留表示パターンに関しては、最初の表示態様の順位が低い表示パターンほど選択率が高く、更にタイプも最初の表示態様も同じ複数の保留表示パターンに関しては、表示態様の変化タイミングが遅い保留表示パターンほど選択率が高くなっているのに対し、先読み判定結果が外れの場合にはその逆になっており、更に先読み判定結果が小当たりの場合には、例えば全ての保留表示パターンの選択率が同じになっている。
【００９３】
このように、図１５に示すような保留表示パターン選択テーブルを用いて一度の抽選で保留表示パターンを選択するように構成してもよい。
【００９４】
以上、本発明の実施形態について詳述したが、本発明はこの実施形態に限定されるものではなく、本発明の趣旨を逸脱しない範囲で種々の変更が可能である。例えば、第１予告演出表示手段３６は、利益状態の発生に関する予告演出を行うものであればよく、先読み判定結果に基づいて保留表示画像の表示態様を変化させることによって予告を行うものに限られるものではない。例えば変動中の図柄が大当たり態様となる期待度（特別利益状態発生の期待度）を数字等により表示するものであってもよい。また、第１予告演出手段は画像表示による予告演出を行うものに限られず、例えばランプの発光、可動体の作動、音声出力等による予告演出を行うものであってもよい。また、第１予告演出の対象となる利益状態は特別利益状態に限られず、特別遊技状態等でもよい。また、例えばリーチ変動パターンはその他の変動パターンに比べて大当たり態様、即ち特別利益状態発生の可能性が高いため、例えばリーチ変動発生に関する予告演出も第１予告演出に含まれる。
【００９５】
また、第２予告演出表示手段３４は、第１予告演出の演出内容に関する予告演出を行うものであればよく、例えば第１予告演出による演出態様が利益状態発生の期待度の高い所定態様となる期待度を数字等により表示するものであってもよい。また、第２予告演出手段は発光体の発光による予告演出を行うものに限られず、画像表示、可動体の作動、音声出力等による予告演出を行うものであってもよい。
【００９６】
また本発明は、アレンジボール機、雀球遊技機等の各種弾球遊技機の他、スロットマシン等の弾球遊技機以外の遊技機においても同様に実施することが可能である。
【符号の説明】
【００９７】
３４  第２予告演出表示手段（第２予告演出手段）
３６  第１予告演出表示手段（第１予告演出手段）
６６  特別利益状態発生手段（利益状態発生手段）
【図１】
2014217512.tif 000003
【図２】
2014217512.tif 000004
【図３】
2014217512.tif 000005
【図４】
2014217512.tif 000006
【図５】
2014217512.tif 000007
【図６】
2014217512.tif 000008
【図７】
2014217512.tif 000009
【図８】
2014217512.tif 000010
【図９】
2014217512.tif 000011
【図１０】
2014217512.tif 000012
【図１１】
2014217512.tif 000013
【図１２】
2014217512.tif 000014
【図１３】
2014217512.tif 000015
【図１４】
2014217512.tif 000016
【図１５】
2014217512.tif 000017